(57)【特許請求の範囲】
【請求項１】
一側端に複数本の櫛歯を並設した櫛部材と、頭部に当接する当接部を有するものであって櫛部材の他端側が当接部から離れる方向に移動自在となるように櫛部材を保持する保持部材とを備え、前記保持部材は、櫛部材が櫛歯の先端を支点として回動自在となるように櫛部材を保持してなる散髪用櫛。
【請求項２】
前記保持部材に、櫛歯の先端を回動自在に連結してなる請求項１記載の散髪用櫛。
【請求項３】
前記保持部材に、両端に位置する櫛歯の先端を回動自在に連結してなる請求項２記載の散髪用櫛。
【請求項４】
前記保持部材及び櫛歯は、その連結位置が櫛部材の回動にともなって変化するよう形成してなる請求項３記載の散髪用櫛。
【請求項５】
一側端に複数本の櫛歯を並設した櫛部材と、頭部に当接する当接部を有するものであって櫛部材の他端側が当接部から離れる方向に移動自在となるように櫛部材を保持する保持部材とを備え、前記櫛部材の移動方向を、保持部材に対して鋭角とした散髪用櫛。
【発明の詳細な説明】
【０００１】
【産業上の利用分野】
本発明は、散髪時に使用する散髪用櫛に関するものである。
【０００２】
【従来の技術】
この種の散髪用櫛として、例えば、実公平３−  １０８８２号公報に開示されたものがある。このものは、図１２に示すように、基台部の側部に複数本の櫛歯を並設し、櫛歯の厚みが先端では小さく根元にいくほど徐々に大きくなるように形成されている。そして、このものは、例えばスポーツ刈りをする場合、櫛歯の先端を頭部の前方から差し込んで頭部に当接させ、櫛歯から上方に飛び出している髪の毛をはさみ又はバリカンによって刈ることにより、スポーツ刈りをすることができる。
【０００３】
【発明が解決しようとする課題】
前述した従来の散髪用櫛は、櫛歯の根元部分の厚みが大きく基台部の側部厚みが大きいために、頭部へ差し込んだときに、櫛歯で起こした髪の毛を倒してしまい（図中Ａ部）、望みの刈り高さで刈ることができず、何度も頭部へ差し込んでは刈らなければならないという問題点があった。
【０００４】
本発明は、このような点に鑑みなされるものであり、その目的とするところは、使い勝手が良く、望みの刈り高さで刈ることができる散髪用櫛を提供することにある。
【０００５】
【課題を解決するための手段】
前記目的を達成するために、請求項１記載の散髪用櫛は、一側端に複数本の櫛歯を並設した櫛部材と、頭部に当接する当接部を有するものであって櫛部材の他端側が当接部から離れる方向に移動自在となるように櫛部材を保持する保持部材とを備えた構成としている。
【０００６】
そして、請求項１記載の散髪用櫛は、上記の保持部材が、櫛部材が櫛歯の先端を支点として回動自在となるように櫛部材を保持した構成としている。
【０００７】
また、請求項２記載の散髪用櫛は、請求項１記載のものの保持部材に、櫛歯の先端を回動自在に連結した構成としている。
【０００８】
また、請求項３記載の散髪用櫛は、請求項２記載のものの保持部材に、両端に位置する櫛歯の先端を回動自在に連結した構成としている。
【０００９】
また、請求項４記載の散髪用櫛は、請求項３記載のものの保持部材及び櫛歯を、その連結位置が櫛部材の回動にともなって変化するよう形成した構成としている。
【００１２】
また、請求項５記載の散髪用櫛は、一側端に複数本の櫛歯を並設した櫛部材と、頭部に当接する当接部を有するものであって櫛部材の他端側が当接部から離れる方向に移動自在となるように櫛部材を保持する保持部材とを備え、前記櫛部材の移動方向を、保持部材に対して鋭角とした構成としている。
【００１５】
【作用】
請求項１記載の構成によれば、櫛部材の他端側を所望の位置に移動させて保持し櫛歯の先端側と当接部とを頭部に当接させると、櫛歯の先端側から他端側にいくほど刈り高さが大きくなる。
【００１６】
しかも、請求項１記載の構成によれば、櫛部材の他端側を所望の位置に移動することが容易となる。
【００１７】
請求項２記載の構成によれば、櫛部材の他端側を所望の位置に移動することがさらに容易となる。
【００１８】
請求項３記載の構成によれば、櫛歯間に髪の毛を導入するとき保持部材に妨げられることがない。
【００１９】
請求項４記載の構成によれば、櫛部材が回動するとき保持部材及び櫛歯の連結位置に無理な力が加わるのを防止する。
【００２１】
請求項５記載の構成によれば、櫛部材の他端側を所望の位置に移動させて保持し櫛歯の先端側と当接部とを頭部に当接させると、櫛歯の先端側から他端側にいくほど刈り高さが大きくなり、しかも、櫛部材の他端側を所望の位置に移動することが容易となる。
【００２４】
【実施例】
本発明の第１実施例を図１乃至図７に基づいて説明する。
【００２５】
１  は保持部材であり、平面視が略コ字状で板厚方向が弧状に曲がっている当接部１１と、略長方形の取手部１２とが一体的に形成されている。当接部１１と取手部１２との中間位置には挿通孔１３が形成され、挿通孔１３の上部一端から取手部１２の中央位置までの間にはガイド溝１４が矩形状に形成され、取手部１２の一端側には指挿通孔１５が丸孔状に形成され、当接部１１の先端側には支軸１６，１６  が形成されている。
【００２６】
２  は櫛部材であり、板状の基台部２１と、基台部２１の厚みと略同一のものであって基台部２１の一端の側面に所定間隔で一方向に並設し板厚方向が弧状に曲がっている複数本の櫛歯２２と、基台部２１の他端から下方に垂下し鋭角に折れさらに水平方向に折れたような形状のレバー２３とが一体的に形成されている。両端に位置する櫛歯２２には先端の側面に長穴２４，２４  が形成され、レバー２３の一端側には取付孔２５が形成され、レバー２３の基台部２１側には上ロック孔２６と下ロック孔２７とが矩形状に形成されている。
【００２７】
レバー２３を挿通孔１３の上方から挿通し、長穴２４，２４  に支軸１６，１６  を回転自在に係止させ、レバー２３の上面と取手部１２の下面との間にコイルばね３  を配設し、ピン４  を取付孔２５の下方から挿通して取手部１２に固定することにより、櫛部材２  は保持部材１  に取り付けられる。このとき、支軸１６，１６  が長穴２４，２４  を回転しながら移動自在となるので、櫛部材２  は、保持部材１  に対して支軸１６，１６  を中心に開閉自在となる。ガイド溝１４に略矩形状に形成されたロック釦５  をスライド自在に取り付けると、ロック釦５  の先端が上ロック孔２６又は下ロック孔２７に嵌合し得るようになる。ロック釦５  の先端を上ロック孔２６に嵌合すると、両端の櫛歯２２，２２  と当接部１１の上面とが密着して閉状態となり、下ロック孔２７に嵌合すると、開状態となる。
【００２８】
以下、本実施例の使用方法について説明する。なお、ここでは、スポーツ刈りをする場合について説明する。
【００２９】
髪の毛の刈り高さを小さくする場合、図３及び図６に示すように、ロック釦５  の先端を上ロック孔２６に嵌合させる。当接部１１の先端を頭部の前方から差し込んでいき、当接部１１の下面を頭部に当接させるとともにレバー２３の角を額に当接すると、髪の毛が櫛歯２２で起こされ、この状態が櫛歯２２の側面間によって保持される。このとき、基台部２１と櫛歯２２との厚みが略同一となっているので、髪の毛は、基台部２１付近でほとんど倒されることがない。最後に、はさみ又はバリカンで櫛歯２２の上面に沿って髪の毛を刈っていくと、簡単にかつ仕上がりの良いスポーツ刈りができる。
【００３０】
髪の毛の刈り高さを大きくする場合、図４及び図７に示すように、櫛部材２  を保持部材１  に対して支軸１６，１６  を中心にして開いていき、ロック釦５  の先端を下ロック孔２７に嵌合させ、髪の毛の刈り高さを小さくする場合と同様にして使用すればよい。
【００３１】
ところで、ロック釦５  の先端を下ロック孔２７に嵌合すると、コイルばね３  が縮んだ状態となるので、レバー２３の上面と取手部１２の下面とへの付勢力が大きくなる。このとき、ロック釦５  の先端を下ロック孔２７から外すと、コイルばね３  の付勢力により、櫛部材２  が保持部材１  に対して支軸１６，１６  を中心にして閉じていき、両端の櫛歯２２，２２  が当接部１１の上面に密着した状態となる。したがって、ロック釦５  の先端を下ロック孔２７から上ロック孔２６に嵌合する場合の操作が容易となる。
【００３２】
なお、本実施例では、基台部２１と櫛歯２２との厚みを略同一としたが、本発明においては、これに限られるものではなく、例えば、櫛歯２２の根元側の厚みを基台部２１と略同一とし、先端側にいくほど厚みを小さくしていってもよい。
【００３３】
また、本実施例では、当接部１１と櫛歯２２とが板厚方向に弧状に曲がった形状としたが、本発明においては、これに限られるものではなく、例えば、当接部１１と櫛歯２２とを直線状としてもよい。
【００３４】
次に、本発明の第２実施例を図８乃至図１０に基づいて説明する。なお、先の第１実施例と実質的に同様な機能を有する部材については、同一の符号を付して説明を省略する。
【００３５】
保持部材１  は、平面視が長方形の当接部６１と、当接部６１の一端の略中央位置から鋭角（角度α）に延びた上下片６２と、板厚方向に撓み自在となるレバー６３とが一体的に形成されている。また、上下片６２には、中間位置に上ロック孔６４が形成され、下側に下ロック孔６５が形成されている。レバー６３の一端側には、取付孔（図示せず）が形成されている。
【００３６】
櫛部材２  は、板状の基台部７１と、基台部７１の一端の側面に所定間隔で一方向に並設し板厚方向が弧状に曲がっている複数本の櫛歯７２と、基台部７１の他端の中央位置から櫛歯７２とは反対側に延びた取手部７３とが厚みが略同一となるように一体的に形成されている。基台部７１の中央位置には、上下片６２を挿通する矩形状の挿通孔７４が形成され、挿通孔７４の内面には、上ロック孔６４又は下ロック孔６５を係止し得る係止部（図示せず）が設けられている。また、取手部７３の一端側には、指挿通孔７５が形成されている。
【００３７】
上下片６２を挿通孔７４に挿通してレバー６３の下面と取手部７３の上面との間にコイルばね３  を配設し、ピン４  を取付孔の上方から挿通して取手部７３に固定することにより、櫛部材２  は保持部材１  に取り付けられる。
【００３８】
当接部６１と上下片６２とのなす角が鋭角（角度α）となっているので、櫛部材２  は、保持部材１  に対して櫛歯７２の先端を中心として開閉自在となる。係止部を下ロック孔６５に係止すると、基台部７１の下面と当接部６１の上面とが密着して閉状態となり、係止部を上ロック孔６４に係止すると、開状態となる。
【００３９】
髪の毛の刈り高さを小さくする場合、図９に示すように、係止部を下ロック孔65に係止して使用し、髪の毛の刈り高さを大きくする場合、図１０に示すように、レバー63を下方に押していき係止部を上ロック孔64に係止して使用する。
【００４０】
次に、本発明の第３実施例を図１１に基づいて説明する。なお、先の第１及び第２実施例と実質的に同様な機能を有する部材については、同一の符号を付して説明を省略する。
【００４１】
本実施例の櫛部材２  は、第２実施例のものと同一である。保持部材１  は、平面視が長方形の当接部８１，８１  と、当接部８１，８１  の一端から上方に延びた２個の上下片８２，８２  と、板厚方向に撓み自在となるレバー８３，８３  とが一体的に形成されている。また、レバー８３，８３  の一端側には、取付孔（図示せず）が形成されている。
【００４２】
上下片８２，８２  を挿通孔７４に挿通し、ピン４，４  を取付孔の上方から挿通して取手部７３に固定することにより、櫛部材２  は保持部材１  に取り付けられる。
【００４３】
したがって、当接部８１，８１  及びレバー８３，８３  が２つに分割しているので、一方のレバー８３と他方のレバー８３との押し下げ量をそれぞれ調整することにより、頭部のサイドのカットに適したものとなる。
【００４４】
【発明の効果】
請求項１記載の散髪用櫛は、櫛部材の他端側を所望の位置に移動させて保持し櫛歯の先端側と当接部とを頭部に当接させると、櫛歯の先端側から他端側にいくほど刈り高さが大きくなるので、髪の毛を所望の刈り高さで容易に刈ることができる。
【００４５】
請求項１記載の散髪用櫛は、上記の効果に加え、櫛部材の他端側を所望の位置に移動することが容易となるので、使い勝手を良くすることができる。
【００４６】
請求項２記載の散髪用櫛は、請求項１記載の効果に加え、櫛部材の他端側を所望の位置に移動することがさらに容易となるので、さらに使い勝手を良くすることができる。
【００４７】
請求項３記載の散髪用櫛は、請求項２記載の効果に加え、櫛歯間に髪の毛を導入するとき保持部材に妨げられることがないので、さらに髪の毛を仕上がり良く刈ることができる。
【００４８】
請求項４記載の散髪用櫛は、請求項３記載の効果に加え、櫛部材が回動するとき保持部材及び櫛歯の連結位置に無理な力が加わるのを防止するので、連結位置の疲労や破損を防止できる。
【００５１】
請求項５記載の散髪用櫛は、櫛部材の他端側を所望の位置に移動させて保持し櫛歯の先端側と当接部とを頭部に当接させると、櫛歯の先端側から他端側にいくほど刈り高さが大きくなるので、髪の毛を所望の刈り高さで容易に刈ることができるという効果に加え、櫛部材の他端側を所望の位置に移動することが容易となるので、使い勝手を良くすることができる。
【図面の簡単な説明】
【図１】本発明の第１実施例の斜視図である。
【図２】その分解斜視図である。
【図３】その閉状態を示す側面図である。
【図４】その開状態を示す側面図である。
【図５】その開状態を示す要部拡大断面図である。
【図６】その閉状態の使用状態を示す側面図である。
【図７】その開状態の使用状態を示す側面図である。
【図８】本発明の第２実施例の斜視図である。
【図９】その閉状態を示す側面図である。
【図１０】その開状態を示す側面図である。
【図１１】本発明の第３実施例の斜視図である。
【図１２】従来例の使用状態を示す側面図である。
【符号の説明】
１  保持部材
２  櫛部材
１１  当接部
２２    櫛歯
２３  レバー
６１  当接部
７２  櫛歯
８１    当接部
【図１】
0003569929.tif 000002
【図２】
0003569929.tif 000003
【図３】
0003569929.tif 000004
【図４】
0003569929.tif 000005
【図５】
0003569929.tif 000006
【図６】
0003569929.tif 000007
【図７】
0003569929.tif 000008
【図８】
0003569929.tif 000009
【図９】
0003569929.tif 000010
【図１０】
0003569929.tif 000011
【図１１】
0003569929.tif 000012
【図１２】
0003569929.tif 000013